(57)【特許請求の範囲】
【請求項１】
第一の無線アクセス技術に関連付けられているプリアンブルの一部分に少なくとも一つのシグナル（ＳＩＧ）フィールドを有している前記プリアンブルを生成することと、ここで前記ＳＩＧフィールドは第二の無線アクセス技術にしたがって動作している複数の装置に共通する制御情報を表わすパラメータビットを含んでおり、
前記複数の装置に共通する制御情報を表わすために、否循環ＢＰＳＫコードを前記ＳＩＧフィールドのうちの一つのＩコンポーネントにおいてオーバーレイすることと、
フレーム内の前記プリアンブルを前記複数の装置に送信することと
を含む、無線通信システムの方法。
【請求項２】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項１の方法。
【請求項３】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項１の方法。
【請求項４】
第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の他の装置に共通する制御情報を表わすパラメータビットを含んでおり、
前記複数の他の装置に共通する制御情報を表わすために、否循環ＢＰＳＫコードを前記ＳＩＧフィールドのうちの一つのＩコンポーネントにおいてオーバーレイするように構成されている別の回路と、
フレーム内の前記プリアンブルを前記複数の他の装置に送信するように構成されている送信機と
を含む、無線通信のための装置。
【請求項５】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項４の装置。
【請求項６】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項４の装置。
【請求項７】
第一の無線アクセス技術に関連付けられているプリアンブルの一部分に少なくとも一つのシグナル（ＳＩＧ）フィールドを有している前記プリアンブルを生成するための手段と、ここで前記ＳＩＧフィールドは第二の無線アクセス技術にしたがって動作している複数の他の装置に共通する制御情報を表わすパラメータビットを含んでおり、
前記複数の他の装置に共通する制御情報を表わすために、否循環ＢＰＳＫコードを前記ＳＩＧフィールドのうちの一つのＩコンポーネントにおいてオーバーレイするための手段と、
フレーム内の前記プリアンブルを前記複数の他の装置に送信するための手段と
を含む、無線通信のための装置。
【請求項８】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項７の装置。
【請求項９】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項７の装置。
【請求項１０】
第一の無線アクセス技術に関連付けられているプリアンブルの一部分に少なくとも一つのシグナル（ＳＩＧ）フィールドを有している前記プリアンブルを生成するための、ここで前記ＳＩＧフィールドは第二の無線アクセス技術にしたがって動作している複数の装置に共通する制御情報を表わすパラメータビットを含んでいる、
前記複数の装置に共通する制御情報を表わすために、否循環ＢＰＳＫコードを前記ＳＩＧフィールドのうちの一つのＩコンポーネントにおいてオーバーレイするための、および、
フレーム内の前記プリアンブルを前記複数の装置に送信するための、
実行可能な命令を記憶した、無線通信のためのコンピュータ可読記憶媒体。
【請求項１１】
少なくとも一つのアンテナと、
第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の無線ノード（wireless nodes）に共通する制御情報を表わすパラメータビットを含んでいる、
前記複数の無線ノードに共通する制御情報を表わすために、否循環ＢＰＳＫコードを前記ＳＩＧフィールドのうちの一つのＩコンポーネントにおいてオーバーレイするように構成されている別の回路と、
フレーム内の前記プリアンブルを前記少なくとも一つのアンテナによって前記複数の無線ノードに送信するように構成されている送信機と
を含むアクセスポイント。
【請求項１２】
フレーム内のプリアンブルを受信すること、ここで第一の無線アクセス技術に関連付けられている前記プリアンブルの一部分が複数のパラメータビットを含んでいる、
前記フレームが第二の無線アクセス技術に関連していることを検出すること、
前記第二の無線アクセス技術にしたがって動作している複数の装置に共通する制御情報として前記パラメータビットを前記検出結果に基づいて解釈すること
を含み、否循環ＢＰＳＫコードが、前記複数の装置に共通する制御情報を表わすために前記プリアンブルのＳＩＧフィールドのうちの一つのＩコンポーネントにおいてオーバーレイされている、無線通信のための方法。
【請求項１３】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項１２の方法。
【請求項１４】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項１２の方法。
【請求項１５】
別のフレーム内の別のプリアンブルを受信すること、ここで前記第一の無線アクセス技術に関連付けられている前記別のプリアンブルの一部分が別の複数のパラメータビットを含んでおり、
前記別のフレームが前記第二の無線アクセス技術に関連していないことを検出すること、
前記別のフレームが前記第一の無線アクセス技術に関連しているとの仮定にしたがって前記別の複数のパラメータビットを解釈すること
をさらに含む請求項１２の方法。
【請求項１６】
フレーム内のプリアンブルを受信するように構成されている受信機と、ここで第一の無線アクセス技術に関連付けられている前記プリアンブルの一部分が複数のパラメータビットを含んでいる、
前記フレームが第二の無線アクセス技術に関連していることを検出するように構成されている検出器と、
前記第二の無線アクセス技術にしたがって動作している複数の装置に共通する制御情報として前記パラメータビットを前記検出結果に基づいて解釈するように構成されている回路と
を含み、否循環ＢＰＳＫコードが、前記複数の装置に共通する制御情報を表わすために前記プリアンブルのＳＩＧフィールドのうちの一つのＩコンポーネントにおいてオーバーレイされている、無線通信のための装置。
【請求項１７】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項１６の装置。
【請求項１８】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項１６の装置。
【請求項１９】
前記受信機は、別のフレーム内の別のプリアンブルを受信するようにも構成されていて、ここで前記第一の無線アクセス技術に関連付けられている前記別のプリアンブルの一部分が別の複数のパラメータビットを含んでいる、
前記検出器は、前記別のフレームが前記第二の無線アクセス技術に関連していないことを検出するようにも構成されていて、
前記回路は、前記別のフレームが前記第一の無線アクセス技術に関連しているとの仮定にしたがって前記別の複数のパラメータビットを解釈するようにも構成されている請求項１６の装置。
【請求項２０】
フレーム内のプリアンブルを受信するための手段と、ここで第一の無線アクセス技術に関連付けられている前記プリアンブルの一部分が複数のパラメータビットを含んでいる、
前記フレームが第二の無線アクセス技術に関連していることを検出するための手段と、
前記第二の無線アクセス技術にしたがって動作している複数の装置に共通する制御情報として前記パラメータビットを前記検出結果に基づいて解釈するための手段と
を含み、否循環ＢＰＳＫコードが、前記複数の装置に共通する制御情報を表わすために前記プリアンブルのＳＩＧフィールドのうちの一つのＩコンポーネントにおいてオーバーレイされている、無線通信のための装置。
【請求項２１】
前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
請求項２０の装置。
【請求項２２】
前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含む請求項２０の装置。
【請求項２３】
別のフレーム内の別のプリアンブルを受信するための手段と、ここで前記第一の無線アクセス技術に関連付けられている前記別のプリアンブルの一部分が別の複数のパラメータビットを含んでいる、
前記別のフレームが前記第二の無線アクセス技術に関連していないことを検出するための手段と、
前記別のフレームが前記第一の無線アクセス技術に関連しているとの仮定にしたがって前記別の複数のパラメータビットを解釈するための手段と
をさらに含む請求項２０の装置。
【請求項２４】
フレーム内のプリアンブルを受信するための、ここで第一の無線アクセス技術に関連付けられている前記プリアンブルの一部分が複数のパラメータビットを含んでいる、
前記フレームが第二の無線アクセス技術に関連していることを検出するための、および
前記第二の無線アクセス技術にしたがって動作している複数の装置に共通する制御情報として前記パラメータビットを前記検出結果に基づいて解釈するための
実行可能な命令を記憶し、否循環ＢＰＳＫコードが、前記複数の装置に共通する制御情報を表わすために前記プリアンブルのＳＩＧフィールドのうちの一つのＩコンポーネントにおいてオーバーレイされている、無線通信のためのコンピュータ可読記憶媒体。
【請求項２５】
少なくとも一つのアンテナと、
前記少なくとも一つのアンテナによってフレーム内のプリアンブルを受信するように構成されている受信機と、ここで第一の無線アクセス技術に関連付けられている前記プリアンブルの一部分が複数のパラメータビットを含んでいる、
前記フレームが第二の無線アクセス技術に関連していることを検出するように構成されている検出器と、
前記第二の無線アクセス技術にしたがって動作している複数のアクセス端末に共通する制御情報として前記パラメータビットを前記検出結果に基づいて解釈するように構成されている回路と
を含み、否循環ＢＰＳＫコードが、前記複数のアクセス端末に共通する制御情報を表わすために前記プリアンブルのＳＩＧフィールドのうちの一つのＩコンポーネントにおいてオーバーレイされている、アクセス端末。
【発明の詳細な説明】
【技術分野】
【０００１】
本特許出願は、２００９年９月１５日に出願がなされていて本特許出願の譲受人に譲渡されている「ＶＨＴ用制御パラメータの物理層シグナリング（Physical layer signaling of control parameters for VHT）」と言う名称の米国仮特許出願通し番号６１／２４２，５６３の利益を主張する。この米国仮特許出願は、この言及により全体的にここに明確に含まれる。
【０００２】
本開示の幾つかの態様は一般に無線通信に関し、特に、超高速スループット（ＶＨＴ：Very High Throughput）無線システムの制御パラメータをシグナリングする方法に関する。
【背景技術】
【０００３】
無線通信システムに必要な帯域幅の需要増大に関する問題に対処するために高いデータスループットを達成しながらチャネルリソースを共有することにより複数のユーザ端末が一個のアクセスポイント（access point）で通信をすることができるようにする異なる仕組みが開発されている。マルチ入力マルチ出力（ＭＩＭＯ：Multiple Input Multiple Output）技術が次世代通信システムのための一般的な技術として最近出現したそのような取り組みの一つを代表している。ＭＩＭＯ技術は、電気電子学会（ＩＥＥＥ：Institute of Electrical and Electronics Engineers）８０２．１１規格のような幾つかの新興無線通信規格に採用されている。ＩＥＥＥ８０２．１１は、（例えば、数十メートルから数百メートルの）短距離通信（short-range communications）のためにＩＥＥＥ８０２．１１委員会（IEEE 802.11 committee）が展開している一式の無線ローカルエリアネットワーク（ＷＬＡＮ：Wireless Local Area Network）エアーインターフェース規格（air interface standards）を示している。
【０００４】
ＭＩＭＯシステムは、複数（ＮＴ）個の送信アンテナと複数（ＮＲ）個の受信アンテナとをデータの伝送に用いている。ＮＴ個の送信アンテナとＮＲ個の受信アンテナとにより形成されるＭＩＭＯチャネルはこれをＮＳ個の独立チャネルに分解することができる。これらの独立チャネルは空間チャネル（spatial channels）とも呼ばれていて、ＮＳ≦ｍｉｎ｛ＮＴ，ＮＲ｝である。ＮＳの独立チャネルの各々は次元（dimension）に対応している。ＭＩＭＯシステムは、送信および受信のそれぞれ用の複数のアンテナによりもたらされる付加的な次元数（additional dimensionalities）が利用されれば改善されたパフォーマンス（例えば、より高いスループットおよびより高い信頼性の両者または一方）を提供することができる。
【０００５】
アクセスポイント（ＡＰ：Access Point）が一個でユーザステーション（ＳＴＡｓ：user stations）が複数の無線ネットワークでは、異なるステーションに向かう複数のチャネルにおいてアップリンクおよびダウンリンクの両方向で同時伝送が生じる可能性がある。そのようなシステムには多くの取り組みがなされている。
【発明の概要】
【０００６】
本開示の幾つかの態様では無線通信システムの方法が提供される。この方法は、第一の無線アクセス技術に関連付けられているプリアンブルの一部分に少なくとも一つのシグナル（ＳＩＧ：signal）フィールドを有している前記プリアンブルを生成することと、ここで前記ＳＩＧフィールドは第二の無線アクセス技術にしたがって動作している複数の装置に共通する制御情報を表わすパラメータビットを含んでおり、フレーム内の前記プリアンブルを前記複数の装置に送信することとを含んでいる。
【０００７】
本開示の幾つかの態様では無線通信の装置が提供される。この装置は、第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の他の装置に共通する制御情報を表わすパラメータビットを含んでおり、フレーム内の前記プリアンブルを前記複数の他の装置に送信するように構成されている送信機とを含んでいる。
【０００８】
本開示の幾つかの態様では無線通信の装置が提供される。この装置は、第一の無線アクセス技術に関連付けられているプリアンブルの一部分に少なくとも一つのシグナル（ＳＩＧ）フィールドを有している前記プリアンブルを生成するための手段と、ここで前記ＳＩＧフィールドは第二の無線アクセス技術にしたがって動作している複数の他の装置に共通する制御情報を表わすパラメータビットを含んでおり、フレーム内の前記プリアンブルを前記複数の他の装置に送信するための手段とを含んでいる。
【０００９】
幾つかの態様では、無線通信用のコンピュータプログラム製品が提供される。このコンピュータプログラム製品は、第一の無線アクセス技術に関連付けられているプリアンブルの一部分に少なくとも一つのシグナル（ＳＩＧ）フィールドを有している前記プリアンブルを生成し、ここで前記ＳＩＧフィールドは第二の無線アクセス技術にしたがって動作している複数の装置に共通する制御情報を表わすパラメータビットを含んでおり、フレーム内の前記プリアンブルを前記複数の装置に送信するための実行可能な命令を含むコンピュータ可読媒体を含んでいる。
【００１０】
幾つかの態様ではアクセスポイントが提供される。このアクセスポイントは、少なくとも一つのアンテナと、第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の無線ノード（wireless nodes）に共通する制御情報を表わすパラメータビットを含んでおり、フレーム内の前記プリアンブルを前記少なくとも一つのアンテナによって前記複数の無線ノードに送信するように構成されている送信機とを含んでいる。
【００１１】
本開示の幾つかの態様では無線通信の方法が提供される。この方法は、フレーム内のプリアンブルを受信すること、ここで第一の無線アクセス技術に関連付けられている前記プリアンブルの一部分が複数のパラメータビットを含んでおり、前記フレームが第二の無線アクセス技術に関連していることを検出すること、前記第二の無線アクセス技術にしたがって動作している複数の装置に共通する制御情報として前記パラメータビットを前記検出結果に基づいて解釈することを一般に含んでいる。
【００１２】
本開示の幾つかの態様では無線通信用の装置が提供される。この装置は、フレーム内のプリアンブルを受信するように構成されている受信機と、ここで第一の無線アクセス技術に関連付けられている前記プリアンブルの一部分が複数のパラメータビットを含んでおり、前記フレームが第二の無線アクセス技術に関連していることを検出するように構成されている検出器と、前記第二の無線アクセス技術にしたがって動作している複数の装置に共通する制御情報として前記パラメータビットを前記検出結果に基づいて解釈するように構成されている回路とを含んでいる。
【００１３】
本開示の幾つかの態様では無線通信の装置が提供される。この装置は、フレーム内のプリアンブルを受信するための手段と、ここで第一の無線アクセス技術に関連付けられている前記プリアンブルの一部分が複数のパラメータビットを含んでおり、前記フレームが第二の無線アクセス技術に関連していることを検出するための手段と、前記第二の無線アクセス技術にしたがって動作している複数の装置に共通する制御情報として前記パラメータビットを前記検出結果に基づいて解釈するための手段とを含んでいる。
【００１４】
幾つかの態様では、無線通信用のコンピュータプログラム製品が提供される。このコンピュータプログラム製品は、フレーム内のプリアンブルを受信し、ここで第一の無線アクセス技術に関連付けられている前記プリアンブルの一部分が複数のパラメータビットを含んでおり、前記フレームが第二の無線アクセス技術に関連していることを検出し、前記第二の無線アクセス技術にしたがって動作している複数の装置に共通する制御情報として前記パラメータビットを前記検出結果に基づいて解釈するための実行可能な命令を含むコンピュータ可読媒体を含んでいる。
【００１５】
幾つかの態様ではアクセスターミナルが提供される。このアクセスターミナルは、少なくとも一つのアンテナと、フレーム内のプリアンブルを受信するように構成されている受信機と、ここで第一の無線アクセス技術に関連付けられている前記プリアンブルの一部分が複数のパラメータビットを含んでおり、前記フレームが第二の無線アクセス技術に関連していることを検出するように構成されている検出器と、前記第二の無線アクセス技術にしたがって動作している複数の装置に共通する制御情報として前記パラメータビットを前記検出結果に基づいて解釈するように構成されている回路とを含んでいる。
【図面の簡単な説明】
【００１６】
本開示に関して以上に概説した諸々の特徴を詳しく理解することができるように添付図面に例示されている幾つかの態様を参照しながら上に示した概要をより詳しく説明する。しかし添付図面は、本開示の典型的な幾つかの態様を例示しているに過ぎないのであって、以下の説明は同じように有効なその他の態様をも許容することができるのであるから、本開示の範囲を限定するものと添付図面を解釈してはならないことに注意すること。
【図１】図１は、本開示の幾つかの態様にしたがっている無線通信ネットワークの図である。
【図２】図２は、本開示の幾つかの態様にしたがっているアクセスポイントとユーザ端末の例を示すブロック図である。
【図３】図３は、本開示の幾つかの態様にしたがっている無線装置の例を示すブロック図である。
【図４】図４は、本開示の幾つかの態様にしたがっていてアクセスポイントから送信されるプリアンブルの構造の例を示す図である。
【図５】図５は、本開示の幾つかの態様にしたがってアクセスポイントで実行される可能性のある動作の例を示す図である。
【図５Ａ】図５Ａは、図５に示されている動作を実行することの可能な構成要素の例を示す図である。
【図６】図６は、本開示の幾つかの態様にしたがって移動局（user station）で実行される可能性のある動作の例を示す図である。
【図６Ａ】図６Ａは、図６に示されている動作を実行することの可能な構成要素の例を示す図である。
【発明を実施するための形態】
【００１７】
添付図面を参照して本開示の様々な態様を以下に詳述する。しかし、本開示は多くの異なる態様で実施することができるので、以下の説明全体に亘って示されている任意の特定の構造や機能に本開示が限定されると解釈してはならない。むしろ、本開示が完璧であり完全であることや本開示の範囲を当業者に十分に理解して貰うことを意図して以下に示す諸態様は提示されている。ここに開示されているどの態様も本開示の別の任意の態様とは別個に実施されようが本開示の別の任意の態様と組み合わせて実施されようがいずれも本開示の範囲に含まれることが意図されていることを当業者であれば以下の教示に基づいて当然理解する筈である。例えば、ここに示されている諸態様の中から任意の諸態様を任意の数だけ用いて装置や方法として本開示を実施することができる。さらに、ここに記載されている本開示の様々な態様に加えてあるいはここに記載されている本開示の様々な態様以外に他の構造および他の機能の一方または両方を用いて実施をした装置や方法も本開示の範囲に含まれることが意図されている。ここに開示されている本開示のどの態様も特許請求の範囲に示されている一個以上の要素により実施することができることを理解されたい。
【００１８】
用語「典型的な（exemplary）」は「具体例または実例または例証として役に立つ（serving as an example, instance, or illustration）」と言う意味でここでは使用されている。ここに記載する「典型的な」どの態様についても、当該態様の方がその他の態様よりも好ましいとか有利であるとかと解釈する必要はない。
【００１９】
特定の態様しかここには記載されていないが、ここに記載されているどの態様に関するどのような種々の変種や変更も本開示の範囲に含まれる。好ましい態様の利点や長所が記載されていたとしても特定の利点や用途や目的に本開示の範囲が限定されることなど意図されていない。むしろ、好ましい態様に関する以下の説明や図面に例として示されているものを含む種々様々の無線技術（wireless technologies）やシステム構成（system configurations）やネットワーク（networks）や伝送プロトコル（transmission protocols）に本開示の色々な態様が広く適用されることが意図されている。発明の詳細な説明も図面も本開示の単なる例示であって本開示の範囲を限定する意図はない。本開示の範囲は特許請求の範囲とその均等物とにより確定される。
【００２０】
[無線通信システムの例]
ここに記載されている技術は、直交多重化方式（orthogonal multiplexing scheme）に基づく通信システムを含む様々なブロードバンド無線通信システム（broadband wireless communication systems）に用いることができる。そのような通信システムの例には、空間分割多元接続（ＳＤＭＡ：Spatial Division Multiple Access）、時分割多元接続（ＴＤＭＡ：Time Division Multiple Access）、直交周波数分割多元接続（ＯＦＤＭＡ：Orthogonal Frequency Division Multiple Access）システム、単一搬送波周波数分割多元接続（ＳＣ−ＦＤＭＡ：Single-Carrier Frequency Division Multiple Access）システムなどがある。ＳＤＭＡシステムは、十分に異なる複数の方向を利用して複数のユーザ端末に属するデータを同時に伝送することができる。ＴＤＭＡシステムでは、伝送信号（transmission signal）を異なるタイムスロット（time slot）に分割して個々のタイムスロットを異なるユーザ端末に割り当てることにより複数のユーザ端末が同じ周波数チャネルを共有することができる。ＴＤＭＡシステムは、この技術分野では公知の他の規格やＧＳＭ（登録商標）を実現することができる。ＯＦＤＭＡシステムは、全システム帯域幅を複数の直交サブキャリア（orthogonal sub-carriers）に分割する変調技術である直交周波数分割多重化（ＯＦＤＭ：orthogonal frequency division multiplexing）を用いている。このようなサブキャリアはトーン（tones）とかビン（bins）とかなどと呼ばれることもある。ＯＦＤＭでは、個々のサブキャリアはデータで別々に変調される可能性がある。ＯＦＤＭシステムは、ＩＥＥＥ８０２．１１やこの技術分野で公知のその他の規格を実現することができる。ＳＣ−ＦＤＭＡシステムは、システム帯域幅全体に分散されているサブキャリアで伝送するインターリーブＦＤＭＡ（ＩＦＤＭＡ：Interleaved FDMA）や１ブロックの隣接サブキャリアで伝送する局在ＦＤＭＡ（ＬＦＤＭＡ：localized FDMA）や複数ブロックの隣接サブキャリアで伝送する拡張ＦＤＭＡ（ＥＦＤＭＡ：enhanced FDMA ）を用いることができる。一般に変調シンボル（modulation symbols）は、ＯＦＤＭでは周波数ドメイン（frequency domain）で送信され、ＳＣ−ＦＤＭＡでは時間ドメイン（time domain）で送信される。ＳＣ−ＦＤＭＡシステムは、３ＧＰＰ−ＬＴＥ（3rd Generation Partnership Project Long Term Evolution）やこの技術分野で公知のその他の規格を実現することができる。
【００２１】
以下に示す教示は、有線や無線の種々様々な装置（例えば、ノード（nodes））に組み込むこと（例えば、実装したり実行させたりすること）ができる。幾つかの態様では、以下の教示にしたがって実施された無線ノードはアクセスポイントやアクセス端末を含むことができる。
【００２２】
アクセスポイント（「ＡＰ」：access point）は、ノードＢ（NodeB）、無線ネットワークコントローラ（「ＲＮＣ」：Radio Network Controller）、ｅＮｏｄｅＢ、基地局コントローラ（「ＢＳＣ」：Base Station Controller）、トランシーバ基地局（「ＢＴＳ」：Base Transceiver Station）、基地局（「ＢＳ」：Base Station）、トランシーバ機能（「ＴＦ」：Transceiver Function）、無線ルータ（Radio Router）、無線トランシーバ（Radio Transceiver）、基本サービスセット（「ＢＳＳ」：Basic Service Set）、拡張サービスセット（「ＥＳＳ」：Extended Service Set）、無線基地局（「ＲＢＳ」：Radio Base Station）、その他の用語のいずれかを含んでいるか、そのいずれかとして実現されるか、そのいずれかとして知られているかのいずれかである可能性がある。
【００２３】
アクセスターミナル（「ＡＴ」：access terminal）は、アクセスターミナル、加入者ステーション（subscriber station）、加入者ユニット（subscriber unit）、移動局（mobile station）、リモートステーション（remote station）、リモートターミナル（remote terminal）、ユーザ端末（user terminal）、ユーザエージェント（user agent）、ユーザ装置（user device）、ユーザ機器（user equipment）、ユーザステーション（user station）、その他の用語のいずれかを含んでいるか、そのいずれかとして実現されるか、そのいずれかとして知られているかのいずれかである可能性がある。幾つかの実施ではアクセスターミナルは、小型携帯移動電話機（cellular telephone）、コードレス電話機（cordless telephone）、セッションイニシエイションプロトコル（「ＳＩＰ」：Session Initiation Protocol）フォン、ワイヤレスローカルループ（「ＷＬＬ」：wireless local loop）ステーション、パーソナルデジタルアシスタント（「ＰＤＡ」：personal digital assistant）、無線接続機能のある手持ち式装置（handheld device）、ステーション（「ＳＴＡ」：station）、無線モデムに接続さているその他の適切な処理装置のいずれかを含んでいる可能性がある。したがって、ここに教示されている一件以上の態様は、電話機（小型携帯移動電話機（cellular phone）やスマートフォン（smart phone））、コンピュータ（例えば、ラップトップ）、携帯式通信装置（portable communication device）、携帯式計算装置（例えば、パーソナルデータアシスタント（personal data assistant））、娯楽用装置（例えば、音楽やビデオの装置、サテライトラジオ（satellite radio））、全世界測位システム（global positioning system）装置、無線や有線の媒体を介して通信をするように構成されているその他の適切な装置のいずれかに組み込むことができる。幾つかの態様では、ノードは無線ノードである。このような無線ノードは、有線や無線のリンクを介してネットワーク（例えば、インターネットやセルラー方式ネットワークのような広領域ネットワーク）との接続性を提供することが可能である。
【００２４】
図１は、アクセスポイントおよびユーザ端末をそれぞれ複数個有している多元接続複数入力複数出力（ＭＩＭＯ：multiple-input multiple-output）システム１００を示している。簡単化のために図１にはアクセスポイント１１０が１個だけしか示されていない。アクセスポイントは、一般にユーザ端末と通信をする固定局であり、基地局と呼ばれることもあれば、その他の用語で呼ばれることもある。ユーザ端末は固定式の場合もあれば移動式の場合もあり、移動局とか無線装置とかと呼ばれることもあれば、その他の用語で呼ばれることもある。アクセスポイント１１０はダウンリンクやアップリンクで任意の与えられた瞬間に一つ以上のユーザ端末１２０と通信をすることができる。ダウンリンク（すなわち、フォーワードリンク（forward link））はアクセスポイントからユーザ端末への通信リンクであり、アップリンク（すなわち、リバースリンク（reverse link））はユーザ端末からアクセスポイントへの通信リンクである。ユーザ端末は、別のユーザ端末とピアツーピア（peer-to-peer）で通信をすることもできる。システムコントローラ１３０は、アクセスポイントに結合して協調と制御を提供する。
【００２５】
以下に示す部分の開示では幾つかの態様においてどのユーザ端末１２０も空間分割多元接続（ＳＤＭＡ：Spatial Division Multiple Access）による通信が可能であるものとして説明するが、ユーザ端末１２０にはＳＤＭＡをサポートしていないユーザ端末も含まれている可能性がある。したがって、そのような態様ではＳＤＭＡのユーザ端末およびＳＤＭＡでないユーザ端末の両者と通信ができるようにＡＰ１１０は当然構成されている。このような手法により新しいＳＤＭＡユーザ端末を適切なものとして導入しながらも古いバージョンのユーザ端末（「レガシー」ステーション）を事業内部に展開させることができるようになるので旧式のユーザ端末の寿命を延ばすことができる。
【００２６】
システム１００は、ダウンリンクやアップリンクでのデータ伝送用に複数の送信アンテナと複数の受信アンテナとを採用している。アクセスポイント１１０はＮａｐ個のアンテナを備えていて、ダウンリンク伝送用の複数入力（ＭＩ：multiple-input）およびアップリンク伝送用の複数出力（ＭＯ：multiple-output）を表している。Ｋ個の選択されたユーザ端末１２０一式が、ダウンリンク伝送用の複数出力およびアップリンク伝送用の複数入力を一括して表している。純ＳＤＭＡでは、Ｋ個のユーザ端末のデータシンボルストリームが何らかの手段によってコードや周波数や時間で多重化されない場合にはＮａｐ≧Ｋ≧１であることが望ましい。ＴＤＭＡ技術、ＣＤＭＡによる異なるコードチャネル、ＯＦＤＭによるサブバンドの互いに素な集合、その他を用いてデータシンボルストリームが多重化される場合には、ＫはＮａｐよりも大きい可能性がある。選択されたユーザ端末はどれもがユーザ固有データの送受信をアクセスポイントとの間で行う。一般に、選択されたどのユーザ端末もアンテナを一つ以上備えている可能性がある（すなわち、Ｎａｐ≧１）。Ｋ個の選択されたユーザ端末はアンテナの数と同じである場合もあれば異なっている場合もある。
【００２７】
ＳＤＭＡシステム１００は、時分割デュプレックス（ＴＤＤ：time division duplex）システムか周波数分割デュプレックス（ＦＤＤ：frequency division duplex）システムのどちらかで構わない。ＴＤＤシステムの場合には、ダウンリンクおよびアップリンクは同じ周波数帯を共有する。ＦＤＤシステムの場合には、ダウンリンクとアップリンクで異なる周波数帯が用いられる。ＭＩＭＯシステム１００は、単一のキャリアおよび複数のキャリアのどちらを用いても伝送することができる。どのユーザ端末もアンテナを一つ備えているか（例えば、コストを抑えるため）、あるいは、複数備えているか（例えば、追加分のコストを賄うことができる場合）のどちらでも構わない。システム１００は、異なるユーザ端末１２０に割り当てられている異なるタイムスロットに送受信を分割することによって同じ周波数チャネルをユーザ端末１２０が共有している場合には、ＴＤＭＡシステムである可能性もある。
【００２８】
図２は、ＭＩＭＯシステム１００におけるアクセスポイント１１０と二個のユーザ端末１２０ｍおよび１２０ｘとを示すブロック図の例である。アクセスポイント１１０はＮｔ個のアンテナ２２４ａないし２２４ｔを備えている。ユーザ端末１２０ｍはＮｕｔ，ｍ個のアンテナ２５２ｍａないし２５２ｍｕを備えていて、ユーザ端末１２０ｘはＮｕｔ，ｘ個のアンテナ２５２ｘａないし２５２ｘｕを備えている。アクセスポイント１１０は、ダウンリンクの送信エンティであるとともにアップリンクの受信エンティティである。個々のユーザ端末１２０は、アップリンクの送信エンティティであるとともにダウンリンクの受信エンティティである。ここで使用しているように「送信エンティティ（transmitting entity）」は無線チャネルを介してデータの送信をすることの可能な独自に動作する器具や装置であり、「受信エンティティ（receiving entity）」は無線チャネルを介してデータの受信をすることの可能な独自に動作する器具や装置である。以下の記述では、下付きの「ｄｎ」はダウンリンクを表し、下付きの「ｕｐ」はアップリンクを表している。Ｎｕｐ個のユーザ端末はアップリンクでの同時送信のために選択され、Ｎｄｎ個のユーザ端末はダウンリンクでの同時送信のために選択され、ＮｕｐはＮｄｎに等しいこともあればそうでないこともあり、ＮｕｐおよびＮｄｎは統計値である可能性があり、スケジューリング間隔毎に変わる可能性がある。ビームステアリング（beam-steering）やその他の空間処理技術をアクセスポイントやユーザ端末で用いることができる。
【００２９】
アップリンクでは、アップリンク送信用に選択された各ユーザ端末１２０でＴＸデータプロセッサ２８８がデータソース２８６からトラフィックデータを受信し、コントローラ２８０から制御データを受信する。ＴＸデータプロセッサ２８８は、ユーザ端末のために選択されているレート（rate）に関連付けられている符号化や変調の方式に基づいてユーザ端末のためにトラフィックデータを処理してデータシンボルストリーム（data symbol stream）を供給する。ＴＸ空間プロセッサ（TX spatial processor）２９０は、データシンボルストリームに空間処理を施してＮｕｔ，ｍ個の伝送シンボルストリーム（transmit symbol streams）をＮｕｔ，ｍ個のアンテナに供給する。個々の送信機ユニット（ＴＭＴＲ）２５４はそれぞれの伝送シンボルストリームの受信および処理（例えば、アナログ変換、増幅、フィルタリング、周波数アップコンバート（frequency upconverts））をしてアップリンクシグナル（uplink signals）を生成する。Ｎｕｔ，ｍ個の送信機ユニット２５４は、Ｎｕｔ，ｍ個のアンテナ２５２からアクセスポイントへの送信のためにＮｕｔ，ｍ個のアップリンクシグナルを供給する。
【００３０】
Ｎｕｐ個のユーザ端末は、アップリンクでの同時送信のためにスケジュールされる可能性がある。これらのユーザ端末はいずれもデータシンボルストリームに空間処理を施して一式の伝送シンボルストリームをアップリンクでアクセスポイントに送信する。
【００３１】
アクセスポイント１１０では、Ｎａｐ個のアンテナ２２４ａないし２２４ａｐがアップリンクで送信しているＮｕｐ個の全ユーザ端末からアップリンクシグナルを受信する。どのアンテナ２２４も受信したシグナルをそれぞれの受信機ユニット（ＲＣＶＲ）２２２に供給する。個々の受信機ユニット２２２は送信機ユニット２５４が実行した処理を補う処理を実行して受信したシンボルストリームを供給する。ＲＸ空間プロセッサ２４０が、Ｎａｐ個の受信機ユニット２２２からのＮａｐ個の受信シンボルストリームに受信側空間処理を施してＮｕｐ個の受信アップリンクデータシンボルストリームを供給する。受信側空間処理は、チャネル相関マトリックスインバージョン（ＣＣＭＩ：channel correlation matrix inversion）、最小平均平方誤差（ＭＭＳＥ：minimum mean square error）、軟干渉消去（ＳＩＣ：soft interference cancellation）、その他の何らかの技術のいずれかにしたがって実行される。個々の回復したアップリンクデータシンボルストリームは、個々のユーザ端末により送信されたデータシンボルストリームの推定である。ＲＸデータプロセッサ２４２は、復号したデータの取得をするために前記ストリームに用いたレートにしたがって個々の回復したアップリンクデータシンボルストリームを処理する（例えば、復調やデインターリーブや復号の処理をする）。個々のユーザ端末のための復号されたデータは、保管のためにデータシンク２４４に供給されたり、さらなる処理のためにコントローラ２３０に供給されたり、両者のために両者に供給されたりすることができる。
【００３２】
ダウンリンクではアクセスポイント１１０でＴＸデータプロセッサ２１０は、ダウンリンク伝送が予定されているＮｄｎ個のユーザ端末のためにデータソース２０８からトラフィックデータを受信し、コントローラ２３０から制御データを受信する他に、スケジューラ２３４からその他のデータを受信することもある。様々な種類のデータが異なるトランスポートチャネルで送信される可能性がある。ＴＸデータプロセッサ２１０は、それぞれのユーザ端末のために選択されたレートに基づいてトラフィックデータをユーザ端末毎に処理する（例えば、符号化やインターリーブや変調の処理をする）。ＴＸデータプロセッサ２１０は、Ｎｄｎ個のダウンリンクデータシンボルストリームをＮｄｎ個のユーザ端末に供給する。ＴＸ空間プロセッサ２２０は、Ｎｄｎ個のダウンリンクデータシンボルストリームに空間処理を施して、Ｎａｐ個の伝送シンボルストリームをＮａｐ個のアンテナに供給する。個々の送信機ユニット２２２は、個々の伝送シンボルストリームの受信および処理をしてダウンリンクシグナルを生成する。Ｎａｐ個の信機ユニット２２２は、Ｎａｐ個のアンテナ２２４から複数のユーザ端末への送信のためにＮａｐ個のダウンリンクシグナルを供給する。
【００３３】
個々のユーザ端末１２０では、Ｎｕｔ，ｍ個のアンテナ２５２がＮａｐ個のダウンリンクシグナルをアクセスポイント１１０から受信する。個々の受信機ユニット２５４は、関連付けられているアンテナ２５２からの受信シグナルを処理して受信シンボルストリームを供給する。ＲＸ空間プロセッサ２６０は、Ｎｕｔ，ｍ個の受信機ユニット２５４からのＮｕｔ，ｍ個の受信シンボルストリームに受信側空間処理を施して、受信ダウンリンクデータシンボルストリームをユーザ端末に供給する。受信側空間処理は、ＣＣＭＩやＭＭＳＥやその他の何らかの技術のいずれかにしたがって行われる。ＲＸデータプロセッサ２７０は、受信ダウンリンクデータシンボルストリームに処理（例えば、復調やデインターリーブや復号の各処理）を施してユーザ端末用の復号データを取得する。
【００３４】
個々のユーザ端末１２０では、チャネル推定器２７８がダウンリンクチャネル応答（downlink channel response）を推定して、チャネルゲイン推定値（channel gain estimates）、ＳＮＲ推定値（SNR estimates）、雑音分散（noise variance）、その他を含む可能性のあるダウンリンクチャネル推定値（downlink channel estimates）を供給する。同様に、チャネル推定器２２８がアップリンクチャネル応答（uplink channel response）を推定して、アップリンクチャネル推定値（uplink channel estimates）を供給する。個々のユーザ端末のコントローラ２８０は、当該ユーザ端末のためのダウンリンクチャネル応答マトリックスＨｄｎ，ｍに基づいて当該ユーザ端末のための空間フィルタマトリックスを一般に導き出す。コントローラ２３０は、有効なアップリンクチャネル応答マトリックスＨｕｐ，ｅｆｆに基づいてアクセスポイントのための空間フィルタマトリックスを導き出す。個々のユーザ端末のコントローラ２８０は、フィードバック情報（例えば、ダウンリンクおよびアップリンクの両者または一方の固有ベクトル、固有値、ＳＮＲ推定値、その他）をアクセスポイントに送信することもできる。コントローラ２３０および２８０は、それぞれがアクセスポイント１１０およびユーザ端末１２０のそれぞれで様々な処理ユニットの動作制御もしている。
【００３５】
図３は、無線通信システム１００内で用いることのできる無線装置３０２に使用可能な様々な構成要素を例示している。無線装置３０２は、ここに述べる様々な方法を実行することができるように構成されている装置の例である。無線装置３０２は、基地局１０４とユーザ端末１０６のどちらでも構わない。
【００３６】
無線装置３０２は、無線装置３０２の動作を制御するプロセッサ３０４を含むことができる。プロセッサ３０４は、中央処理装置（ＣＰＵ）と呼ばれることもある。メモリ３０６は、リードオンリーメモリ（ＲＯＭ）とランダムアクセスメモリ（ＲＡＭ）の両者を含むことができ、命令とデータをプロセッサ３０４に供給する。メモリ３０６の一部分は、不揮発性ランダムアクセスメモリ（ＮＶＲＡＭ）を含むこともできる。プロセッサ３０４は、メモリ３０６に格納されているプログラム命令に基づいて論理や算術の演算を一般に行う。メモリ３０６内の諸命令は、ここに記載されている方法を実施するために実行可能である。
【００３７】
無線装置３０２は、無線装置３０２と遠隔地との間でデータの送受信を可能にするために送信機３１０と受信機３１２とを含むことのできる筐体３０８を含むこともできる。送信機３１０と受信機３１２とを結合してトランシーバ３１４にすることもできる。一つまたは複数の送信アンテナ３１６が筐体３０８に取り付けられていてトランシーバ３１４に電気的に結合されている可能性がある。無線装置３０２は、複数の送信機、複数の受信機、複数のトランシーバを（図示していないが）含むこともできる。
【００３８】
無線装置３０２は、トランシーバ３１４が受信したシグナルのレベルの検出や定量化の取り組みに用いることのできるシグナル検出器３１８を含むこともできる。シグナル検出器３１８は、そのようなシグナルを総エネルギ（total energy）、エネルギ毎サブキャリア毎シンボル（energy per subcarrier per symbol）、パワースペクトル密度（power spectral density）、その他の様々なシグナルとして検出することができる。無線装置３０２は、デジタルシグナルプロセッサ（ＤＳＰ：digital signal processor）３２０を含むこともできる。
【００３９】
無線装置３０２の様々な構成要素は、電力バス、制御信号バス、状態信号バスをデータバスの他に含むことのできるバスシステム３２２により互いに結合することができる。
【００４０】
[プリアンブルの構造]
図４は、本開示の幾つかの諸態様にしたがっているプリアンブル４００の構造の例を示す図である。プリアンブル４００は、例えば、図１に例示されている無線ネットワーク１００においてアクセスポイント１１０からユーザステーション１２０に送信され得る。無線ネットワーク１００におけるプリアンブル４００の送信は、例えば、ＩＥＥＥ８０２．１１ｎの無線通信規格に基づく無線アクセス技術あるいはＩＥＥＥ８０２．１１ａｃの無線通信規格に基づく無線アクセス技術にしたがってこれを実行することができる。
【００４１】
プリアンブル４００は、全てが旧式の部分（omni-legacy portion）４０２（すなわち、ＩＥＥＥ８０２．１１ａｃの無線通信規格にしたがって構成されているビーム形成されていない部分（non-beamformed portion））と符号化前の部分４０４とを含むことができる。旧式の部分４０２は、レガシーショートトレイニングフィールド（Ｌ−ＳＴＦ：Legacy Short Training Field）４０６、レガシーロングトレイニングフィールド（Legacy Long Training Field）４０８、レガシーシグナル（Ｌ−ＳＩＧ：Legacy Signal）フィールド４１０、高スループットシグナルフィールド（High Throughput Signal fields）のための二つのＯＦＤＭシンボル４１２−４１４（すなわち、ＨＴ−ＳＩＧ１フィールド４１２およびＨＴ−ＳＩＧ２フィールド４１４）を含むことができる。ＨＴ−ＳＩＧフィールド４１２−４１４は、どちらも全方位に送信することができ、例えば、図１のユーザステーション１２０の部分集合（subset）に多くの空間ストリームを割り当てることを示すことができる。
【００４２】
符号化前の部分４０４は、非常に高いスループットのショートトレイニングフィールド（ＶＨＴ−ＳＴＦ：Very High Throughput Short Training Field）４１６、非常に高いスループットのロングトレイニングフィールド（ＶＨＴ−ＬＴＦｓ：Very High Throughput Long Training Fields）４１８、非常に高いスループットのシグナル（ＶＨＴ−ＳＩＧ：Very High Throughput Signal）フィールド４２０、データ部４２２を含むことができる。ＶＨＴ−ＳＩＧフィールドは、一つのＯＦＤＭシンボルを含むこともあり、符号化前の状態またはビーム形成された状態でこれを送信することができる。頑強なマルチユーザマルチ入力マルチ出力（ＭＵ−ＭＩＭＯ：multi-user multiple-input multiple-output）受信は、サポートされている全ユーザに全ＶＨＴ−ＬＴＦｓ４１８をアクセスポイントが送信することを必要とする可能性がある。ＶＨＴ−ＬＴＦｓ４１８は、アクセスポイントの全アンテナからユーザのアンテナまでのＭＩＭＯチャネルを各ユーザが推定することを可能にする。
【００４３】
ＩＥＥＥ８０２．１１ｎでは、制御パラメータの物理層シグナリングはＨＴ−ＳＩＧフィールド４１２−４１４を用いて達成することができる。ＨＴ−ＳＩＧ１フィールド４１２は、ＬＥＮＧＴＨ（例えば、フレーム長の表示）、変調符号化方式（ＭＣＳ：Modulation-Coding scheme）（すなわち、アクセスポイントに適用されているＭＣＳの表示）、帯域幅（ＢＷ）（例えば、使用している帯域幅が４０ＭＨｚ幅の２０ＭＨｚのどちらであるのかの表示）のようなパラメータを含むことができる。ＨＴ−ＳＩＧ２フィールド４１４の総計８ビットが、チャネル平滑化表示（channel smoothing indication）（１ビット）、サウンド（sounding）を使用していないことの表示（１ビット）、アグリゲーション（aggregation）（１ビット）、符号化（coding）（１ビット）、ショートガードインターバル（short guard interval）（１ビット）、空間時間ブロック符号化（ＳＴＢＣ：space-time block coding）（１ビットまたは２ビット、三種類の有効なＳＴＢＣ選択肢があり得る）、空間ストリーム（ＳＳ：spatial streams）（２ビット）のような別のパラメータを含むことができる。さらに、ＨＴ−ＳＩＧ２フィールド４１４は８ビットＣＲＣ（巡回冗長検査（Cyclic Redundancy Check））和、末尾の６ビット（six tail bits）、予備の１ビット（one reserved bit）を含むことができる。ＨＴ−ＳＩＧ１およびＨＴ−ＳＩＧ２のビットは、例えば、循環ＢＰＳＫシグナリングを用いてこれを伝送することが可能である。
【００４４】
ＩＥＥＥ８０２．１１ａｃ（すなわち、非常に高いスループット（ＶＨＴ）の無線通信規格）では、伝送プリアンブルのＶＨＴ−ＳＩＧフィールドを用いることによって物理層シグナリングが同様に達成される可能性がある。ＩＥＥＥ８０２．１１ａｃではＭＵ−ＭＩＭＯのサポートが要請されている可能性があるのでＶＨＴ−ＳＩＧフィールドはＶＨＴ−ＳＩＧ１およびＶＨＴ−ＳＩＧ２の二つのセグメントに一般に分割されている可能性がある。ＶＨＴ−ＳＩＧ１セグメントの目的は早期の８０２．１１ａｃによるパケットやモードの検出ならびに全ダウンリンク（ＤＬ）ＭＵ−ＭＩＭＯクライアントに対する全方位流儀（omni-directional fashion）による共通情報の伝送を可能にすることである。ＶＨＴ−ＳＩＧ１セグメントは、ＨＴ−ＳＩＧ１やＨＴ−ＳＩＧ２のフィールド４１２−４１４の代わりに伝送される可能性がある。ＶＨＴ−ＳＩＧ２セグメントの目的は、クライアント毎の情報（per-client information）（例えば、ＭＣＳ）を個々のＤＬ  ＭＵ−ＭＩＭＯクライアントに送信することであり得る。ＶＨＴ−ＳＩＧ２は、クライアント毎に予め符号化されている可能性があるのでＶＨＴ−ＳＩＧ２情報はクライアントが違えば違っている可能性がある。
【００４５】
[ＶＨＴシステムにおける共通制御パラメータのシグナリング]
ＩＥＥＥ８０２．１１ａｃシステムにおけるＶＨＴ−ＳＩＧ１シグナリングの主要な問題は、ＶＨＴ−ＳＩＧ１フィールドが送信されたのか、それともＨＴ−ＳＩＧ１やＨＴ−ＳＩＧ２のどちらかのフィールドが送信されたのかを受信機が区別することができない可能性があることである。さらに、オーバーヘッドの追加が引き起こされない場合にはＶＨＴ−ＳＩＧ１フィールドは全共通ユーザ情報のシグナリングをするのに十分な数のビットに欠けている可能性がある。ＩＥＥＥ８０２．１１ａｃには、マルチチャネルパラメータ（multi-channel parameters）、帯域幅パラメータ（bandwidth parameters）、チャネルトレイニングパラメータ（channel training parameters）、符号化パラメータ（coding parameters）、その他のように複数のユーザに共通するかなりの数のパラメータがある可能性に注意すること。
【００４６】
８０２．１１ａｃにおけるパケットやモードの検出は、図４のプリアンブル４００のＨＴ−ＳＩＧ１フィールド４１２またはＨＴ−ＳＩＧ２フィールド４１４のいずれかのＩコンポーネント（I-component）に否循環ＢＰＳＫコード（un-rotated BPSK code）を利用すること（例えば、オーバーレイ（overlaying）したり使用したりすること）により実現が可能である。これにより、図４に示されているようにＨＴ−ＳＩＧ２フィールド４１４が終わるまでには８０２．１１ａｃパケットの存在を判定することができる。本開示のある態様では、否循環ＢＰＳＫコードがＨＴ−ＳＩＧ２フィールド４１４にオーバーレイされると、ＬＥＮＧＴＨやＭＣＳのビットの使用されていない組み合わせを利用して共通ユーザ情報のさらに五つのビットのシグナリングが可能になる（may be signaled）。本開示は、８０２．１１ａｃシステムに関する追加共通ユーザ情報をどのようにしてシグナリングするのかの問題にも対処している。
【００４７】
本開示のある態様では、否循環ＢＰＳＫコードがＨＴ−ＳＩＧ２フィールド４１４にオーバーレイされると、追加された共通制御情報を複数のユーザにシグナリングすることにＨＴ−ＳＩＧ２フィールド４１４の前述の８個のパラメータビットを使用することができるようになる。従前のパケット（legacy packet）（例えば、８０２．１１ｎのパケットや８０２．１１ａのパケット）が送信されているのか、あるいは、８０２．１１ａｃのパケット（フレーム）が送信されているのかに応じて、同じ８個のパラメータビットの別様の解釈が可能である。
【００４８】
ユーザステーションの８０２．１１ａｃモデムは、ＨＴ−ＳＩＧ１フィールド４１２やＨＴ−ＳＩＧ２フィールド４１４のどちらかのＩコンポーネントにより可能になる８０２．１１ａｃのパケットやモードのどちらかの検出を用いて８０２．１１ａｃパケットの存在を最初に検出することが可能である。８０２．１１ａｃパケットが検出されると、８０２．１１ａｃモデムは８０２．１１ａｃパケットの伝送と仮定してＨＴ−ＳＩＧ１やＨＴ−ＳＩＧ２の両フィールドの中のパラメータビットを解釈することができる。言い換えれば、ＨＴ−ＳＩＧ１やＨＴ−ＳＩＧ２の両フィールドはＶＨＴ−ＳＩＧ１フィールドとして解釈されることがありうる。本開示のある態様では、否循環ＢＰＳＫコードがＨＴ−ＳＩＧ２フィールド４１４にオーバーレイされると、８０２．１１ａｃモデムはＬＥＮＧＴＨやＭＣＳのビットの使用されていない組み合わせ（総計５ビット）をも８０２．１１ａｃパケットの制御情報として利用することがありうる。したがって、総計１３ビットが８０２．１１ａｃ共通ユーザ情報のシグナリングに使用されることがありうる。
【００４９】
これに反して８０２．１１ａｃパケットが検出されない場合には、８０２．１１ａｃモデムは受信したパケット（フレーム）は従来のパケット（legacy packet）（すなわち、８０２．１１ｎパケットや８０２．１１ａパケット）であろうと仮定することがありうる。８０２．１１ａｃモデムは、例えば、８０２．１１ｎパケットの伝送であると仮定してＨＴ−ＳＩＧ２フィールド内の８パラメータビットを解釈することがありうる。
【００５０】
本開示のある態様では否循環ＢＰＳＫコードがＨＴ−ＳＩＧ２フィールド４１４にオーバーレイされると、８０２．１１ａｃ共通ユーザ情報をシグナリングするために提案されている方法の主要な長所はＶＨＴ−ＳＩＧ１情報のシグナリングにオーバーヘッドを（ＨＴ−ＳＩＧの他に）追加しないで済むことがありうることである。この目的のために８０２．１１ｎプリアンブル（すなわち、プリアンブルのＨＴ−ＳＩＧ２セグメントの）の１３ビットがＶＨＴ−ＳＩＧ１共通制御シグナリングに使用可能な状態でありうる。
【００５１】
図５は、本開示の幾つかの態様にしたがって共通ユーザ情報をシグナリングするためにアクセスポイントで実行される可能性のある動作例５００を図示している。５０２でアクセスポイントは、第一の無線アクセス技術に関連付けられているプリアンブルの一部分に少なくとも一つのシグナル（ＳＩＧ）フィールドを有している前記プリアンブルを生成することがありうる。ここで前記ＳＩＧフィールドは第二の無線アクセス技術にしたがって動作している複数の装置（複数の使用者）に共通する制御情報を表わすパラメータビットを含んでいる。５０４でアクセスポイントは、フレーム（パケット）内の前記プリアンブルを複数の装置に伝送することがありうる。前述のようにパラメータビットは、ＬＥＮＧＴＨやＭＣＳのビットの組み合わせ、チャネル平滑化表示ビット、サウンド表示ビット（sounding indication bit）、アグリゲーションビット（aggregation bit）、符号化ビット、ショートガードインターバルビット、ＳＴＢＣビット、ＳＳビットの少なくとも一つを含むことができる。
【００５２】
フレームは、第一または第二のどちらかの無線アクセス技術で伝送されることがありうる。第一の無線アクセス技術は、例えば、ＩＥＥＥ８０２．１１ｎの無線通信規格に基づく技術を含むことできる。そして、第二の無線アクセス技術は、例えば、ＩＥＥＥ８０２．１１ａｃの無線通信規格に基づく技術を含むことができる。
【００５３】
図６は、本開示の幾つかの態様にしたがって移動局で実行される可能性のある動作例６００を図示している。６０２で移動局は、フレーム（パケット）内のプリアンブルを受信することがありうる。ここで第一の無線アクセス技術に関連付けられている前記プリアンブルの一部分が複数のパラメータビットを含んでいる少なくとも一つのシグナルフィールドでありうる。６０４で移動局は、前記フレームが第二の無線アクセス技術に関連していることを検出することがありうる。６０６で移動局は、前記第二の無線アクセス技術にしたがって動作している複数の装置に共通する制御情報として前記パラメータビットを前記検出結果に基づいて解釈することがありうる。
【００５４】
本開示のある態様では移動局は、別のフレーム内の別のプリアンブルを受信することがありうる。ここで前記別のプリアンブルは、第一の無線アクセス技術に関連付けられている部分が別の複数のパラメータビットを含むことがありうる。移動局は、前記別のフレームが第二の無線アクセス技術に関連していないことを検出して、前記別のフレームが第一の無線アクセス技術に関連しているとの仮定にしたがって前記別のパラメータビットを解釈することがありうる。
【００５５】
以上に記載した種々の方法の様々な動作は、対応する諸機能を実行することの可能な任意の適切な手段で実行されうる。前記手段は、回路、特定用途向け集積回路（ＡＳＩＣ）、プロセッサのいずれかを含むがこれらに限定されるわけではない種々様々なハードウェアおよびソフトウェアの両者または一方のコンポーネントおよびモジュールの両者または一方を含んでいることがありうる。一般に、図に例示した動作のあるところでは、これらの動作は対応する手段と機能の構成要素が同じ数だけ存在していることがありうる。例えば、図５に示されている動作５００は図５Ａに示されている構成要素５００Ａに対応していて、図６に示されている動作６００は図６Ａに示されている構成要素６００Ａに対応している。
【００５６】
ここで使用している用語「決定する（determining）」は広範囲に亘る種々様々な動作を含んでいる。例えば、「決定する」は、計算すること、演算すること、処理すること、導き出すこと、探索すること、調べること（例えば、表やデータベースや別のデータ構造を調べること）、確かめること、その他を含むことがありうる。また、「決定する」は、受信すること（例えば、情報を受信すること）、アクセスすること（例えば、メモリ内のデータにアクセスすること）、その他を含むことがありうる。さらに、「決定する」は、解決すること、広範囲の中から選択すること（selecting）、狭い範囲の中から選び取ること（choosing）、設定すること、その他を含むことがありうる。
【００５７】
列挙した諸項目「の少なくとも一つ（at least one of）」と言うここで使用している表現は、例示されている項目のどれか一つである場合を含めて、それらの項目の任意の組合せを表している。例えば、「ａ、ｂ、またはｃの少なくとも一つ」は、ａ、ｂ、ｃ、ａ−ｂ、ａ−ｃ、ｂ−ｃ、ａ−ｂ−ｃを含むことが意図されている。
【００５８】
以上に記載した種々の方法の様々な動作は、種々様々なハードウェアおよびソフトウェアの両者または一方のコンポーネントと回路とモジュールとの全てまたはいずれかのように対応する諸機能を実行することの可能な任意の適切な手段で実行されうる。
【００５９】
本開示に関連して様々に例示した論理的なブロック、モジュール、回路は、ここに記載した諸機能を実行するように設計されている汎用プロセッサ、デジタルシグナルプロセッサ（ＤＳＰ）、特定用途向け集積回路（ＡＳＩＣ）、現場でプログラム可能なゲートアレイシグナル（ＦＰＧＡ：field programmable gate array signal）またはその他のプログラム可能な論理装置（ＰＬＤ）、個別のゲートまたはトランジスタ論理、離散的なハードウェアコンポーネントまたはそれらの任意の組み合わせによって実施したり実行したりすることができる。汎用プロセッサはマイクロプロセッサでありうるが、その他にも、汎用プロセッサは任意の商業的に入手可能なプロセッサ、コントローラ、マイクロコントローラ、状態機械のいずれかでありうる。プロセッサは計算装置の組合せ、例えば、ＤＳＰとマイクロプロセッサの組み合わせ、複数のマイクロプロセッサ、ＤＳＰコアと一緒にした一つ以上のマイクロプロセッサ、その他の任意の構成としても実現されうる。
【００６０】
本開示と関連して記載した方法やアルゴリズムの諸工程は、プロセッサにより実行されるソフトウェアおよびハードウェアのそれぞれあるいは両者の組み合わせに直接的に組み込むことができる。ソフトウェアモジュールは、この技術分野では既知である任意の形態の記憶媒体に常駐していることがありうる。使用することのできる記憶媒体の例にはランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、取り外し可能なディスク、ＣＤ−ＲＯＭ、その他が含まれる。ソフトウェアモジュールは単一の命令や多くの命令を含むことがありうるだけでなく、幾つかの異なるコードセグメントに亘って分散されていたり、異なるプログラムの間や複数の記憶媒体に跨って分散されていたりすることもありうる。記憶媒体は、プロセッサが情報の読み書きを記憶媒体に対して行うことができるようにプロセッサに連結されていることがありうる。あるいは、記憶媒体はプロセッサに一体化されていることがありうる。
【００６１】
ここに開示されている方法は、記載した方法を達成するための一種類以上の工程や動作を含んでいる。方法を構成している諸工程や諸動作の両者または一方は特許請求の範囲から逸脱することなく互いに入れ替えることができる。すなわち、諸工程や諸動作のどちらについても特定の順序が明示されていない限り、特定の諸工程や諸動作の両者または一方の順序および使用の両者または一方は特許請求の範囲から逸脱することなく修正可能である。
【００６２】
記載した諸機能は、ハードウェア、ソフトウェア、ファームウェア、これらの任意の組み合わせとして実施することができる。ソフトウェアとして実施された場合には、前記諸機能は一種類以上の命令としてコンピュータ可読媒体に格納される可能性がある。記憶媒体は、コンピュータによりアクセスすることのできる任意の入手可能な媒体でありうる。限定ではなく例として、そのようなコンピュータ可読媒体は、ＲＡＭ、ＲＯＭ、ＥＥＰＲＯＭ、ＣＤ−ＲＯＭやその他の光学ディスク記憶装置、磁気ディスク記憶装置や他の磁気記憶装置、所望のプログラムコードを命令やデータ構造の形式で保持したり格納したりするために用いることができてコンピュータによりアクセスすることのできる任意の他の媒体を含むことがありうる。ここで使用しているディスク（disk）およびディスク（disc）は、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）を含み、ディスク（disk）は通常はデータを磁気的に再生し、ディスク（disc）は通常はデータをレーザで光学的に再生する。
【００６３】
したがって幾つかの態様は、ここに提示した動作を実行するためのコンピュータプログラム製品を含むことができる。例えば、そのようなコンピュータプログラム製品は、命令が格納されている（か、符号化されているか、その両者であるかのいずれかである）コンピュータ可読媒体を含むことができる。ここで命令は、ここに記載されている諸動作を実行するために一つ以上のプロセッサにより実行可能である。幾つかの態様では、コンピュータプログラム製品はパッケージング材料を含んでいることがありうる。
【００６４】
ソフトウェアまたは命令は伝送媒体により送信されることもありうる。例えば、同軸ケーブル、ファイバーオプティックケーブル、撚線対（twisted pair）、デジタル加入者回線（ＤＳＬ：digital subscriber line）、赤外線や無線や極超短波のような無線技術を用いてウェブサイト、サーバ、その他のリモートソース（remote source）からソフトウェアが送信されるならば、同軸ケーブル、ファイバーオプティックケーブル、撚線対、ＤＳＬ、赤外線や無線や極超短波のような無線技術が伝送媒体の定義に含まれる。
【００６５】
さらに、ここに記載した種々の方法や技術を実施するためのモジュールその他の適切な手段は、適用可能である限り、ユーザ端末や基地局によってダウンロードなどにより取得することができることを理解されたい。例えば、ここに記載した種々の方法を実行するための手段の伝送を促進させるために、そのような装置がサーバに結合されていることがありうる。あるいは、ここに記載した様々な方法が記憶手段（例えば、ＲＡＭ、ＲＯＭ、コンパクトディスク（ＣＤ）やフロッピーディスクのような物理的な記憶媒体、その他）を介して供給されることがありうる。したがって、記憶手段を装置に結合したり提供したりすればユーザ端末や基地局は様々な方法を取得することができる。さらに、ここに記載した方法や技術を提供する任意の他の適切な技術を利用することができる。
【００６６】
特許請求の範囲は以上に説明した寸分違わぬ構成や構成要素に限定されないことを理解されたい。上に記載した色々な方法や装置の構成や動作や細目に特許請求の範囲を逸脱することなく種々様々な修正や変更や改変を施すことができる。
【００６７】
以上の事柄は本開示の種々の態様に向けられているが、本開示の基本的な範囲から逸脱することなく本開示の別の態様やさらなる態様を考え出すことができるので、本開示の範囲は次に示す特許請求の範囲により定まる。
【００６８】
以下に示す範囲を権利として請求する。
なお、以下に、出願当初の特許請求の範囲に記載された発明を付記する。
［Ｃ１］第一の無線アクセス技術に関連付けられているプリアンブルの一部分に少なくとも一つのシグナル（ＳＩＧ）フィールドを有している前記プリアンブルを生成することと、ここで前記ＳＩＧフィールドは第二の無線アクセス技術にしたがって動作している複数の装置に共通する制御情報を表わすパラメータビットを含んでおり、
フレーム内の前記プリアンブルを前記複数の装置に送信することと
を含む、無線通信システムの方法。
［Ｃ２］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ１の方法。
［Ｃ３］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ１の方法。
［Ｃ４］否循環ＢＰＳＫコードを前記ＳＩＧフィールドの一つに利用して前記フレームに関連付けられている無線アクセス技術を表示すること
をさらに含むＣ１の方法。
［Ｃ５］第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の他の装置に共通する制御情報を表わすパラメータビットを含んでおり、
フレーム内の前記プリアンブルを前記複数の他の装置に送信するように構成されている送信機と
を含む、無線通信のための装置。
［Ｃ６］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ５の装置。
［Ｃ７］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ５の装置。
［Ｃ８］否循環ＢＰＳＫコードを前記ＳＩＧフィールドの一つに利用して前記フレームに関連付けられている無線アクセス技術を表示するように構成されている別の回路
をさらに含むＣ５の装置。
［Ｃ９］第一の無線アクセス技術に関連付けられているプリアンブルの一部分に少なくとも一つのシグナル（ＳＩＧ）フィールドを有している前記プリアンブルを生成するための手段と、ここで前記ＳＩＧフィールドは第二の無線アクセス技術にしたがって動作している複数の他の装置に共通する制御情報を表わすパラメータビットを含んでおり、
フレーム内の前記プリアンブルを前記複数の他の装置に送信するための手段と
を含む、無線通信のための装置。
［Ｃ１０］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ９の装置。
［Ｃ１１］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ９の装置。
［Ｃ１２］否循環ＢＰＳＫコードを前記ＳＩＧフィールドの一つに利用して前記フレームに関連付けられている無線アクセス技術を表示するための手段
をさらに含むＣ９の装置。
［Ｃ１３］第一の無線アクセス技術に関連付けられているプリアンブルの一部分に少なくとも一つのシグナル（ＳＩＧ）フィールドを有している前記プリアンブルを生成するための、ここで前記ＳＩＧフィールドは第二の無線アクセス技術にしたがって動作している複数の装置に共通する制御情報を表わすパラメータビットを含んでいる、および、
フレーム内の前記プリアンブルを前記複数の装置に送信するための、
実行可能な命令を含むコンピュータ可読媒体を含んでいる、無線通信のためのコンピュータプログラム製品。
［Ｃ１４］少なくとも一つのアンテナと、
第一の無線アクセス技術に関連付けられているプリアンブルの一部分に少なくとも一つのシグナル（ＳＩＧ）フィールドを有している前記プリアンブルを生成するように構成されている回路と、ここで前記ＳＩＧフィールドは第二の無線アクセス技術にしたがって動作している複数の無線ノード（wireless nodes）に共通する制御情報を表わすパラメータビットを含んでいる、
フレーム内の前記プリアンブルを前記少なくとも一つのアンテナによって前記複数の無線ノードに送信するように構成されている送信機と
を含むアクセスポイント。
［Ｃ１５］フレーム内のプリアンブルを受信すること、ここで第一の無線アクセス技術に関連付けられている前記プリアンブルの一部分が複数のパラメータビットを含んでいる、
前記フレームが第二の無線アクセス技術に関連していることを検出すること、
前記第二の無線アクセス技術にしたがって動作している複数の装置に共通する制御情報として前記パラメータビットを前記検出結果に基づいて解釈すること
を含む、無線通信のための方法。
［Ｃ１６］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ１５の方法。
［Ｃ１７］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ１５の方法。
［Ｃ１８］前記フレームが第二の無線アクセス技術に関連していることを検出することが
前記プリアンブルの前記ＳＩＧフィールドの一つのＩコンポーネント（I-component）による第二の無線アクセス技術の伝送を検出することを含むＣ１５の方法。
［Ｃ１９］前記プリアンブルの前記ＳＩＧフィールドの一つの前記Ｉコンポーネントが否循環ＢＰＳＫコードを含んでいるＣ１８の方法。
［Ｃ２０］別のフレーム内の別のプリアンブルを受信すること、ここで前記第一の無線アクセス技術に関連付けられている前記別のプリアンブルの一部分が別の複数のパラメータビットを含んでおり、
前記別のフレームが前記第二の無線アクセス技術に関連していないことを検出すること、
前記別のフレームが前記第一の無線アクセス技術に関連しているとの仮定にしたがって前記別の複数のパラメータビットを解釈すること
をさらに含むＣ１５の方法。
［Ｃ２１］フレーム内のプリアンブルを受信するように構成されている受信機と、ここで第一の無線アクセス技術に関連付けられている前記プリアンブルの一部分が複数のパラメータビットを含んでいる、
前記フレームが第二の無線アクセス技術に関連していることを検出するように構成されている検出器と、
前記第二の無線アクセス技術にしたがって動作している複数の装置に共通する制御情報として前記パラメータビットを前記検出結果に基づいて解釈するように構成されている回路と
を含む、無線通信のための装置。
［Ｃ２２］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ２１の装置。
［Ｃ２３］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ２１の装置。
［Ｃ２４］前記検出器が、前記プリアンブルの前記ＳＩＧフィールドの一つのＩコンポーネントによる第二の無線アクセス技術の伝送を検出する
ようにも構成されているＣ２１の装置。
［Ｃ２５］前記プリアンブルの前記ＳＩＧフィールドの一つの前記Ｉコンポーネントが否循環ＢＰＳＫコードを含んでいるＣ２４の装置。
［Ｃ２６］前記受信機は、別のフレーム内の別のプリアンブルを受信するようにも構成されていて、ここで前記第一の無線アクセス技術に関連付けられている前記別のプリアンブルの一部分が別の複数のパラメータビットを含んでいる、
前記検出器は、前記別のフレームが前記第二の無線アクセス技術に関連していないことを検出するようにも構成されていて、
前記回路は、前記別のフレームが前記第一の無線アクセス技術に関連しているとの仮定にしたがって前記別の複数のパラメータビットを解釈するようにも構成されているＣ２１の装置。
［Ｃ２７］フレーム内のプリアンブルを受信するための手段と、ここで第一の無線アクセス技術に関連付けられている前記プリアンブルの一部分が複数のパラメータビットを含んでいる、
前記フレームが第二の無線アクセス技術に関連していることを検出するための手段と、
前記第二の無線アクセス技術にしたがって動作している複数の装置に共通する制御情報として前記パラメータビットを前記検出結果に基づいて解釈するための手段と
を含む、無線通信のための装置。
［Ｃ２８］前記第一の無線アクセス技術がＩＥＥＥ８０２．１１ｎ無線通信規格に基づく技術を含んでおり、
前記第二の無線アクセス技術がＩＥＥＥ８０２．１１ａｃ無線通信規格に基づく技術を含んでいる
Ｃ２７の装置。
［Ｃ２９］前記パラメータビットが、ＬＥＮＧＴＨと変調符号化方式（ＭＣＳ）とのビットの組み合わせ、チャネル平滑化表示ビット、サウンド表示ビット、アグリゲーションビット、符号化ビット、ショートガードインターバルビット、空間時間ブロック符号化（ＳＴＢＣ）ビット、空間ストリーム（ＳＳ）ビットの少なくとも一つを含むＣ２７の装置。
［Ｃ３０］前記フレームが第二の無線アクセス技術に関連していることを検出するための手段が
前記プリアンブルの前記ＳＩＧフィールドの一つのＩコンポーネント（I-component）による第二の無線アクセス技術の伝送を検出するための手段を含むＣ２７の装置。
［Ｃ３１］前記プリアンブルの前記ＳＩＧフィールドの一つの前記Ｉコンポーネントが否循環ＢＰＳＫコードを含んでいるＣ３０の装置。
［Ｃ３２］別のフレーム内の別のプリアンブルを受信するための手段と、ここで前記第一の無線アクセス技術に関連付けられている前記別のプリアンブルの一部分が別の複数のパラメータビットを含んでいる、
前記別のフレームが前記第二の無線アクセス技術に関連していないことを検出するための手段と、
前記別のフレームが前記第一の無線アクセス技術に関連しているとの仮定にしたがって前記別の複数のパラメータビットを解釈するための手段と
をさらに含むＣ２７の装置。
［Ｃ３３］フレーム内のプリアンブルを受信するための、ここで第一の無線アクセス技術に関連付けられている前記プリアンブルの一部分が複数のパラメータビットを含んでいる、
前記フレームが第二の無線アクセス技術に関連していることを検出するための、および
前記第二の無線アクセス技術にしたがって動作している複数の装置に共通する制御情報として前記パラメータビットを前記検出結果に基づいて解釈するための
実行可能な命令を含むコンピュータ可読媒体を含んでいる、無線通信のためのコンピュータプログラム製品。
［Ｃ３４］少なくとも一つのアンテナと、
フレーム内のプリアンブルを受信するように構成されている受信機と、ここで第一の無線アクセス技術に関連付けられている前記プリアンブルの一部分が複数のパラメータビットを含んでいる、
前記フレームが第二の無線アクセス技術に関連していることを検出するように構成されている検出器と、
前記第二の無線アクセス技術にしたがって動作している複数の装置に共通する制御情報として前記パラメータビットを前記検出結果に基づいて解釈するように構成されている回路と
を含むアクセス端末。
【図１】
0005596154.tif 000002
【図２】
0005596154.tif 000003
【図３】
0005596154.tif 000004
【図４】
0005596154.tif 000005
【図５】
0005596154.tif 000006
【図５Ａ】
0005596154.tif 000007
【図６】
0005596154.tif 000008
【図６Ａ】
0005596154.tif 000009